(57)【要約】【課題】ミストスクリーンを迅速に消去する。【解決手段】制御部１１は処理をステップＳ１０３からステップＳ１０４に進め、超音波振動子３０９を停止させて、ミストの生成を停止する（ステップＳ１０８）。引き続き、個別ファン５３１〜５３５を停止させ（ステップＳ１０５）、メインファン３１０を逆回転駆動させる（ステップＳ１０６）。このとき、シャッター３５３は解放した状態にあり、上部開口３１３も開状態にある。したがって、スクリーン３１５は、メインファン３１０の逆回転に伴って、上部開口３１３からチャンバー３１２内に吸引される。その結果、スクリーン３１５上に投影されていた投影画像６００が消えるとともに、迅速にスクリーン３１５も消滅することとなる。【選択図】図５
2015179131.tif 000002
【特許請求の範囲】
【請求項１】
所定の粒径のミストを発生させる発生手段と、
前記発生手段により発生されたミストを画像の投影空間に噴出させてスクリーンを形成するスクリーン形成手段と、
前記スクリーンを消去する際に、前記ミストを前記投影空間外に移送する気流を形成する気流形成手段と、
を備えることを特徴とするスクリーン形成装置。
【請求項２】
前記気流形成手段は、前記スクリーン形成手段が前記スクリーンを形成した際のミスト噴出方向とは逆方向に、前記ミストを移送する気流を形成することを特徴とする請求項１記載のスクリーン形成装置。
【請求項３】
前記気流形成手段は、前記スクリーン形成手段が前記スクリーンを形成した際のミスト噴出方向に対して、略直角方向に、前記ミストを移送する気流を形成することを特徴とする請求項１記載スクリーン形成装置。
【請求項４】
前記画像の投影空間とスクリーン形成手段とを遮断する遮断手段をさらに備えることを特徴とする請求項１から３いずれか記載のスクリーン形成装置。
【請求項５】
前記スクリーン形成手段と前記気流形成手段とが単一の手段で構成され、異なる方向への動作により、各々の手段を形成することを特徴とする請求項１から４いずれか記載のスクリーン形成装置。
【請求項６】
前記発生手段、前記スクリーン形成手段、及び前記気流形成手段は、所定の空間内に設けられ、
前記スクリーンを消去する際に、前記所定の空間の一部を閉鎖した後に、前記気流形成手段を動作させて、前記ミストを前記投影空間外に移送することを特徴とする請求項１から５いずれか記載のスクリーン形成装置。
【請求項７】
前記所定の空間は、複数の空間が結合されて設けられていて、その結合部を遮断することにより、前記気流形成手段の動作が影響を及ぼす空間を狭くすることを特徴とする請求項６記載のスクリーン形成装置。
【請求項８】
前記スクリーンを消去する際に、前記ミストを回収する回収手段を備えることを特徴とする請求項１から７いずれか記載のスクリーン形成装置。
【請求項９】
前記回収手段により回収したミストを貯留する貯留手段備えることを特徴とする請求項１から８いずれか記載のスクリーン形成装置。
【請求項１０】
投影装置とスクリーン形成装置とからなる投影システムであって、
前記投影装置は、スクリーンに画像を投影する投影手段を備え、
前記スクリーン形成装置は、請求項１〜９いずれか記載のスクリーン形成装置であることを特徴とする投影システム。
【請求項１１】
所定の粒径のミストを発生させる発生工程と、
前記発生工程により発生されたミストを画像の投影空間に噴出させてスクリーンを形成するスクリーン形成工程と、
前記スクリーンを消去する際に、前記ミストを前記投影空間外に移送する気流を形成する気流形成工程と、
を含むことを特徴とするスクリーン制御方法。
【発明の詳細な説明】
【技術分野】
【０００１】
本発明は、ミスト（例えば、水の粒子）を用いて、画像を投影するスクリーンの形成を制御するスクリーン形成装置、投影システム及びスクリーン制御方法に関する。
【背景技術】
【０００２】
従来、水を超音波振動子による霧発生装置により、水を霧状にして平面的に噴出させることにより、スクリーンとする技術が知られている（例えば、特許文献１参照）。この装置は、水の粒子（以下、ミストという）により形成されたスクリーン（以下、ミストスクリーンという）にプロジェクタ等を用いて画像を投影する。これにより、画像が空中に浮かんで見えるような画像を得ようとするものである。
【先行技術文献】
【特許文献】
【０００３】
【特許文献１】特開２００８−０９６９４２号公報
【発明の概要】
【発明が解決しようとする課題】
【０００４】
しかしながら、ミストで形成されるスクリーンは、ボード等の固定的なスクリーンとは異なり、それ自体を単体で撤去したり隠蔽したりすることはできず、浮遊する。したがって、画像の投影を終了した直後に、ミストスクリーンを画像とともに排除することができず、これにより、ミストスクリーンを用いる演出が制限されてしまう。
【０００５】
本発明は、かかる従来の課題に鑑みてなされたものであり、ミストスクリーンを迅速に消去することのできるスクリーン形成装置、投影システム及びスクリーン制御方法を提供することを目的とする。
【課題を解決するための手段】
【０００６】
前記課題を解決するために本発明に係るスクリーン形成装置は、所定の粒径のミストを発生させる発生手段と、前記発生手段により発生されたミストを画像の投影空間に噴出させてスクリーンを形成するスクリーン形成手段と、前記スクリーンを消去する際に、前記ミストを前記投影空間外に移送する気流を形成する気流形成手段と、を備えることを特徴とする。
【０００７】
また、本発明に係る投影システムは、投影装置とスクリーン形成装置とからなる投影システムであって、前記投影装置は、スクリーンに画像を投影する投影手段を備え、前記スクリーン形成装置は、所定の粒径のミストを発生させる発生手段と、前記発生手段により発生されたミストを画像の投影空間に噴出させてスクリーンを形成するスクリーン形成手段と、前記スクリーンを消去する際に、前記ミストを前記投影空間外に移送する気流を形成する気流形成手段と、を備えることを特徴とする。
【０００８】
また、本発明に係るスクリーン制御方法は、所定の粒径のミストを発生させる発生工程と、前記発生工程により発生されたミストを画像の投影空間に噴出させてスクリーンを形成するスクリーン形成工程と、前記スクリーンを消去する際に、前記ミストを前記投影空間外に移送する気流を形成する気流形成工程と、を含むことを特徴とする。
【発明の効果】
【０００９】
本発明によれば、ミストスクリーンを迅速に消去することができる。
【図面の簡単な説明】
【００１０】
【図１】本発明の一実施の形態に係るシステムの全体構成を示す斜視図である。
【図２】本発明の第１の実施の形態を示す模式断面図である。
【図３】プロジェクタの回路構成を示すブロック図である。
【図４】スクリーン形成装置の回路構成を示すブロック図である。
【図５】本発明の第１の形態における処理手順を示すフローチャートである。
【図６】本発明の第２の実施の形態を示す模式断面図である。
【図７】本発明の第２の実施の形態の変形例を示す模式断面図である。
【図８】本発明の第２の実施の形態の別の変形例を示す模式断面図である。
【発明を実施するための形態】
【００１１】
以下、本発明の一実施の形態を図に従って説明する。
【００１２】
・第１の実施の形態
図１は、本発明の第１の実施の形態に係る投影システム１の外観構成を示す斜視図である。投影システム１は、プロジェクタ２、及びこれと電気的に接続されたスクリーン形成装置３とで構成されている。
【００１３】
図２は、本実施の形態に係るスクリーン形成装置３の構成を示す模式断面図である。
【００１４】
このスクリーン形成装置３は、発生部３０１と、この発生部３０１にダクト３０２を介して連通された噴出部３０３とで構成されている。発生部３０１は、一端面に開口部３０５が設けられたタンク３０７を有し、タンク３０７の他端面に前記ダクト３０２が連通されている。タンク３０７内には、水３０８が収容され、水３０８内に超音波振動子３０９が配置されている。また、前記開口部３０５には、タンク３０７内方向に送風するメインファン３１０が設けられている。したがって、超音波振動子３０９の動作に伴って水３０８の粒子であるミスト３１１が発生するとともに、発生したミスト３１１はダクト３０２を通過して噴出部３０３に圧送される。
【００１５】
噴出部３０３は、チャンバー３１２を有しており、チャンバー３１２の一方の側面に前記ダクト３０２が接合されている。また、チャンバー３１２の下面には、単一であって長尺状の開口３１３が設けられている。よって、メインファン３１０の回転に伴いダクト３０２を介してチャンバー３１２内に供給されたミスト３１１は下方に吹き出されることとなる。下方に吹き出されたミスト３１１の集合によりスクリーン３１５（ミストスクリーンとも称する）が形成される。
【００１６】
なお、開口３１３は、投影開始前においてはシャッター３５３により閉鎖されている。よって、チャンバー３１２は投影開始前において、密閉性が維持されている。
【００１７】
図３は、プロジェクタ２の電気的構成を示すブロック図である。このプロジェクタ２は、制御部１１、入出力インターフェイス１２、画像変換部１３、表示エンコーダ１４、表示駆動部１５等を有する。入出力コネクタ部１６から入力された各種規格の画像信号（画像データ）は、入出力インターフェイス１２、システムバス１７を介して、画像変換部１３で表示に適した所定フォーマットの画像データに統一するように変換された後、表示エンコーダ１４に送られる。表示エンコーダ１４は、送られてきた画像信号をビデオＲＡＭ１８に展開記憶させた上で、このビデオＲＡＭ１８の記憶内容からビデオ信号を生成して表示駆動部１５に出力するものである。
【００１８】
表示エンコーダ１４からビデオ信号が入力される表示駆動部１５は、送られてきた画像信号に対応して適宜フレームレートで空間的光変調素子（ＳＯＭ）である表示素子１９を駆動する。そして、ランプを有する光源装置２０から射出された光線束を、光源側光学系を介して表示素子１９に入射することにより、表示素子１９の反射光で光像を形成し、投影側光学系とする可動レンズ群２１を介してスクリーン３１５に画像を投影表示する。この投影側光学系の可動レンズ群２１は、レンズモータ２２によりズーム制御やフォーカス制御のための駆動が行われる。
【００１９】
なお、表示素子１９としては、ＤＭＤ（デジタル・マイクロミラー・デバイス）や透過型液晶パネル等種々の空間的光変調素子を利用することができる。
【００２０】
画像圧縮／伸張部２３は、画像信号における輝度信号及び色差信号をＡＤＴＣ及びハフマン符号化等の処理により、データ圧縮して着脱自在な記録媒体であるメモリカード２４に書き込む記録処理や、メモリカード２４に記録された画像データを読み出し、１フレーム単位で伸張して画像変換部１３を介して表示エンコーダ１４に送り、メモリカード２４に記憶された画像データに基づいて動画表示を可能にするものである。
【００２１】
制御部１１は、プロジェクタ２内における各回路の動作を制御するものであって、ＣＰＵ及びその周辺回路、ＲＯＭ１１１、ＲＡＭ１１２等で構成されている。ＲＯＭ１１１には、各種セッティング等のプログラム、後述するフローチャートにより示すプログラムやデータ等が予め記憶されており、ＲＡＭ１１２は、ワークメモリ等として使用される。
【００２２】
キー／インジケータ部２５は、本体ケース等に設けられているメインキー及びインジケータ、当該プロジェクタ２の起動時に点灯するランプやスクリーン形成装置３までの距離を入力するためのキー等により構成される。これらインジケータ等は制御部１１により表示及び点滅制御され、各種キーの操作信号は制御部１１に送出される。また、制御部１１は、光源制御回路２６を制御することにより、画像信号に応じて赤色光源、緑色光源、青色光源を時分割制御している。
【００２３】
なお、表示素子１９としては、３枚の透過型液晶パネルを用いるような３板式のものであってもよい。その場合は、時分割制御の代わりに、３つの光源と表示素子からの出射光束を空間的に合成するダイクロイックプリズム等の合成部が必要となる。
【００２４】
なお、前述のように、画像変換部１３は、入出力コネクタ部１６から入力された各種規格の画像信号（画像データ）を所定フォーマットの画像データに統一するように変換した後、表示エンコーダ１４に送る。
【００２５】
図４は、スクリーン形成装置３の電気的構成を示すブロック図である。このスクリーン形成装置３には、制御部３２、モータドライバ回路３３、人感センサ５０、温度センサ６０及び通信部７０が設けられている。制御部３２は、スクリーン形成装置３内における各回路の動作を制御するものであって、ＣＰＵ及びその周辺回路、ＲＯＭ１１１、ＲＡＭ３２２等で構成されている。ＲＯＭ３２１には後述するフローチャートにより示すプログラムやデータ等が予め記憶されており、ＲＡＭ１１２は、ワークメモリ等として使用される。
【００２６】
モータドライバ回路３３には、メインモータ４０が接続されている。メインモータ４０はメインファン３１０を回転駆動するモータである。
【００２７】
また、モータドライバ回路３３には、前記シャッター３５３を駆動するシャッターモータ４６が接続されている。
【００２８】
人感センサ５０は、投影システムを有するこの施設の所定位置に来訪者が到来したことを、スクリーン形成装置３の前に人がいるか否かによって（検出）判断するためのものであって、その検出信号は制御部３２に送られる。
【００２９】
また、その検出信号は、後述のトリガー信号（外部トリガー）として、通信部７０により、プロジェクタ２に送られる。
【００３０】
なお、人感センサ５０を用いずに、来訪者により直接操作されるスイッチから発生する信号がトリガー信号としてプロジェクタ２に送られるようにしてもよい。
【００３１】
温度センサ６０は、投影システムの近傍の環境温度を検出するものであって、その検出温度は制御部３２に送られる。
【００３２】
そして、制御部３２は、後述するように、その温度に応じて、ミストが適切に生成されるような制御を行う。
【００３３】
図３に示したトリガー受信部３００は、上記スクリーン形成装置３から送信されるトリガー信号を受信する手段である。具体的には、スクリーン形成装置３の人感センサ５０により来訪者の到来を検出した信号を受信するものである。
【００３４】
トリガー受信部３００にて受信した信号が、後述のスクリーン形成（シャッター開）のトリガーやスクリーン消去の際のトリガーとして用いられることになる。
【００３５】
図５は、本発明の第１の形態における処理手順を示すフローチャートである。スクリーン形成装置３の制御部３２は、超音波振動子３０９を起動して、ミストを生成しつつ（ステップＳ１０１）、メインファン３１０を駆動して正回転させる（ステップＳ１０２）。
【００３６】
このとき、シャッター３５３は開に維持されており、したがって、図１に示すように下方に吹き出されたミスト３１１の集合によりスクリーン３１５が形成されている。更に、スクリーン３１５上に、投影画像６００（後述の図６参照）が投影されている。
【００３７】
したがって、来訪者は、例えば、投影画像６００を見ながら、投影画像６００を目印、目標等として、当該施設へ向かうことができる。
【００３８】
一方、制御部３２は、常時外部トリガーを監視し、この監視結果に基づき、外部トリガーがＯＮとなったか否かを判断する（ステップＳ１０３）。なお、ここでの外部トリガーＯＮとは、スクリーンを消去させるという意味の信号として用いられるものとする。
【００３９】
また、図５では、省略しているが、フォグスクリーンＯＮシーケンスの部分で、外部トリガーがＯＦＦとなる（来訪者が近づく）信号を受信して、シャッター３５３が開かれ、ミストスクリーンが形成されることは言うまでもない。
【００４０】
そして、外部トリガーがＯＮとなるまでは、ステップＳ１０１からの処理を繰り返す（スクリーンを連続的に形成し続ける）。したがって、この施設は、後述の図６に示すように、スクリーン３１５に投影画像６００が投影されて、表示された状態に維持されている。
【００４１】
ここで、外部トリガーがＯＮとなる条件は、来訪者が投影画像６００から離れたり、逆に所定距離以下に近づいたりした場合を挙げることができる。
【００４２】
このような条件が成立すると、ステップＳ１０３での判断がＹＥＳとなる。したがって、制御部３２は処理をステップＳ１０３からステップＳ１０４に進め、超音波振動子３０９を停止させて、ミストの生成を停止する（ステップＳ１０４）。引き続き、メインファン３１０を停止させ（ステップＳ１０５）、メインファン３１０を逆回転駆動させる（ステップＳ１０６）。
【００４３】
このとき、シャッター３５３は解放した状態にあり、開口３１３も開状態にある。したがって、図１、２に示したスクリーン３１５は、メインファン３１０の逆回転に伴って、開口３１３からチャンバー３１２内に吸引される。その結果、スクリーン３１５上に投影されていた投影画像６００が消えるとともに、迅速にスクリーン３１５も消滅させることができる。
【００４４】
引き続き、シャッター３５３を閉じる（ステップＳ１０７）。これにより、チャンバー３１２内に吸引したミスト３１１が再度、上部開口３１３上に漏洩することを防止することができる。
【００４５】
したがって、恰も、ミスト３１１とは無関係に「突如として投影画像６００が消える」という演出を行うことができる。このように、「突如として投影画像６００が消える」つまり、ミストがない状態だと文字通り「何も無い」状態となるミストスクリーンの特徴が活かされる。
【００４６】
具体的には、人感センサやスイッチ等の外部トリガーにより素早くミストスクリーンの噴出を停止させ、そのタイミングに同期してフォグスクリーンに投影していたプロジェクタの映像を消し、さらにミストスクリーンそのものを素早く完全に消してしまうことで、空間に映っていた映像が突然跡形も無く消える、といった演出が可能になり、デジタルサイネージの表現力を飛躍的に向上させることができる。
【００４７】
なお、ステップＳ１０４〜Ｓ１０７の処理手順は、必ずしも図５のフローチャートに示した順序に限る必要はなく、最後にシャッター３５３を閉じる動作が行われればよい。
【００４８】
しかして、本実施の形態によれば、瞬時（短時間）にスクリーンを消去することができる。また、ファンを兼用（送風及び吸引）して、部品点数を減らすとともに、小型にできる。
【００４９】
・第２の実施の形態
以上、本発明の実施の形態について説明したが、以下のような構成にしてもよい。
【００５０】
図６は、本実施の形態に係るスクリーン形成装置３の構成を示す模式断面図である。
【００５１】
図１、図２との違いは、まず、スクリーンが上向きに形成される点である。そして、個別ファン各個別ファン５３１〜５３５が追加されるとともに、その下側に下部開口５４１〜５４５、個別ファン用シャッター５５１〜５５５も設けられている。
【００５２】
なお、図示しないが、この場合のスクリーン形成装置３の電気的構成を示すブロック図は、図４において、メインモータ４０に加えて、個別ファン５３１〜５３５回転駆動する個別モータ４１〜４５を及び個別ファン用シャッター５５１〜５５５を開閉するモータも制御することとなる。（なお、この個別ファン用シャッター５５１〜５５５は一括に開閉する１つのシャッターであってもよい。）
【００５３】
個別ファン５３１〜５３５は、チャンバー３１２内方向に送風するファンであって、個別ファン５３１〜５３５が回転すると、その回転速度に応じた量の外気が対応する下部開口５４１〜５４５から吸引されて、上部開口３１３より上方へ吹き出される。
【００５４】
よって、メインファン３１０の回転に伴いダクト３０２を介してチャンバー３１２内に供給されたミスト３１１は各個別ファン５３１〜５３５の回転速度に応じた量で各個別ファン５３１〜５３５の上方に吹き出されることとなる。これら各個別ファン５３１〜５３５の上方に吹き出されたミスト３１１の集合によりスクリーン３１５が形成される。
【００５５】
なお、投影開始前においては、上部開口３１３は、投影開始前においてはシャッター３５３により閉鎖されている。
【００５６】
また、下部開口５４１〜５４５も、投影開始前においては対応する個別ファン用シャッター５５１〜５５５により閉鎖されている。
【００５７】
よって、チャンバー３１２は投影開始前において、密閉性が維持されている。
【００５８】
そして、トリガー受信（オフ）とともに、シャッター３５３、個別ファン用シャッター５５１〜５５５が開くように制御される。
【００５９】
なお、本実施形態のシステムにおいては、プロジェクタ２から下記データ（１）〜（３）を通信部７０より取得する。
（１）画像変換部１３により変換された所定フォーマットの画像データ、
（２）レンズモータ２２により可動レンズ群２１に設定されたズーム倍率
（３）キー／インジケータ部２５でユーザにより入力されたスクリーン３１５までの距離  したがって、スクリーン形成装置３はプロジェクタ２がスクリーン３１５に投影する画像を表す画像データと同一（相似）の画像データの形状を認識することができる。また、この画像データと前記ズーム倍率、距離により、スクリーン３１５に投影される画像の大きさを算出することもできる。
【００６０】
詳細を省略するが、このような仕組みにより、ミストスクリーンＯＮシーケンスにおいて、制御部３２は、投影すべき画像に応じて、個別ファン５３１〜５３５を制御することにより、投影すべき画像の形状に合わせたミストスクリーンを形成することができる。
【００６１】
そして、トリガー受信（オン）とともに、図５のフローにおいて、ステップＳ１０３での判断がＹＥＳとなる。したがって、制御部３２は処理をステップＳ１０３からステップＳ１０４に進め、超音波振動子３０９を停止させて、ミストの生成を停止する（ステップＳ１０４）。引き続き、メインファン３１０及び個別ファン５３１〜５３５を停止させ（ステップＳ１０５）、メインファン３１０を及び個別ファン５３１〜５３５を逆回転駆動させる（ステップＳ１０６）。
【００６２】
すると、その逆回転速度に応じた量のミスト３１１が吸引されて、上部開口３１３よりチャンバー３１２内に逆流する。よって、個別ファン５３１〜５３５の回転に伴いチャンバー３１２内に吸引される。
【００６３】
その際に、個別ファン用シャッター５５１〜５５５は開の状態としておくことで、通気抵抗を減らし、来訪者の目につかない下空間にミストを逃がすことができる。
【００６４】
引き続き、シャッター３５３を閉じる（ステップＳ１０７）。これにより、チャンバー３１２内に吸引したミスト３１１が再度、上部開口３１３上に漏洩することを防止することができる。
【００６５】
また、図７に示すように、発生部３０１とチャンバー３１２とをつなぐダクト３０２の部分を開閉できるようなダクトシャッター３２０をさらに設け、ステップＳ１０６の前において、このダクトシャッター３２０を遮断するような制御を行ってもよい。
【００６６】
そして、その後に、個別ファン５３１〜５３５（のみ）を逆回転駆動させる（ステップＳ１０６）。
【００６７】
これにより、ファンの吸引力が、タンク３０７側の空間にもおよぶロスを防ぎ、チャンバー３１２側に集中されるので、より迅速にミストスクリーン３１５を消去することができる。
【００６８】
また、図６の構造において、ステップＳ１０６において、メインファン３１０のみを逆回転させるようにしてもよい、その場合、チャンバー３１２内に吸引されるミスト３１１は、ダクト３０２を介してタンク３０７側に吸引される。
【００６９】
このとき、超音波振動子３０９が停止した状態にあると、タンク３０７内に至ったミスト３１１は、自然消滅して水に戻り、再びタンク３０７内に貯留する。したがって、本システムにおける水の消失は少なく、効率的に水を使用することができる。なお、上記、回収、貯留については、図１、２の場合も同様である。
【００７０】
また、一端面に開口部３０５が設けられているので、ミスト３１１を吸引した際の通気抵抗を低減することができる。これにより、ミスト３１１をより高速で吸引し、スクリーン３１５を瞬時にして消去することができる。
【００７１】
このようにして、本実施の形態によれば、瞬時（短時間）にスクリーンを消去することができる。また、ファンを兼用（送風及び吸引）して、部品点数を減らすとともに、小型にできる。上記も、図１、２の場合も同様である。
【００７２】
また、部屋の体積を小さくすることで、ファンの吸引能力を上げることができる。
【００７３】
さらに、ミストを回収することにより、原料（水）を効果的に利用して、原料の補充（量、機会）を減らすことができる。
【００７４】
なお、上記実施の形態においては、チャンバー内等の装置内部のみにファンを設けた構成を示したが、図８に示すように、シャッター３５３上等の装置外部に外部ファン５５０を設けておくようにしてもよい。このようにすれば、シャッター３５３を閉じた後に、浮遊しているミストを外部ファン５５０により横方向に一気に吹き飛ばして、消滅させることができる。
【００７５】
なお、上記実施形態では、ミストの実態として、水で説明したが、適切なスクリーンが形成できるものであれば、ミストの実体は、水でなくてもよい。例えば、水にある種のオイルを混ぜたものがミストに適したものになる場合もある。
【００７６】
また、上記実施形態では、人感センサ５０をスクリーン形成装置３側に設ける例で説明したが、プロジェクタ２側に設け、スクリーン形成装置３側がその検出情報を受けるようにしてもよい。
【００７７】
また、投影システムとして、上記実施形態のスクリーン形成装置３の制御部３２、人感センサ５０、温度センサ６０（又は、それらの一部）が、スクリーン形成制御装置として独立に設けられるような構成であってもよいことは言うまでもない。
【００７８】
以上、本発明の実施形態について説明したが、これらは本発明の作用効果が得られる範囲内であれば適宜変更が可能であり、変更後の実施形態も特許請求の範囲に記載された発明、及びその発明と均等の発明の範囲に含まれる。
以下に、本出願の当初の特許請求の範囲に記載された発明を付記する。
＜請求項１＞
所定の粒径のミストを発生させる発生手段と、
前記発生手段により発生されたミストを画像の投影空間に噴出させてスクリーンを形成するスクリーン形成手段と、
前記スクリーンを消去する際に、前記ミストを前記投影空間外に移送する気流を形成する気流形成手段と、
を備えることを特徴とするスクリーン形成装置。
＜請求項２＞
前記気流形成手段は、前記スクリーン形成手段が前記スクリーンを形成した際のミスト噴出方向とは逆方向に、前記ミストを移送する気流を形成することを特徴とする請求項１記載のスクリーン形成装置。
＜請求項３＞
前記気流形成手段は、前記スクリーン形成手段が前記スクリーンを形成した際のミスト噴出方向に対して、略直角方向に、前記ミストを移送する気流を形成することを特徴とする請求項１記載スクリーン形成装置。
＜請求項４＞
前記画像の投影空間とスクリーン形成手段とを遮断する遮断手段をさらに備えることを特徴とする請求項１から３いずれか記載のスクリーン形成装置。
＜請求項５＞
前記スクリーン形成手段と前記気流形成手段とが単一の手段で構成され、異なる方向への動作により、各々の手段を形成することを特徴とする請求項１から４いずれか記載のスクリーン形成装置。
＜請求項６＞
前記発生手段、前記スクリーン形成手段、及び前記気流形成手段は、所定の空間内に設けられ、
前記スクリーンを消去する際に、前記所定の空間の一部を閉鎖した後に、前記気流形成手段を動作させて、前記ミストを前記投影空間外に移送することを特徴とする請求項１から５いずれか記載のスクリーン形成装置。
＜請求項７＞
前記所定の空間は、複数の空間が結合されて設けられていて、その結合部を遮断することにより、前記気流形成手段の動作が影響を及ぼす空間を狭くすることを特徴とする請求項６記載のスクリーン形成装置。
＜請求項８＞
前記スクリーンを消去する際に、前記ミストを回収する回収手段を備えることを特徴とする請求項１から７いずれか記載のスクリーン形成装置。
＜請求項９＞
前記回収手段により回収したミストを貯留する貯留手段備えることを特徴とする請求項１から８いずれか記載のスクリーン形成装置。
＜請求項１０＞
投影装置とスクリーン形成装置とからなる投影システムであって、
前記投影装置は、スクリーンに画像を投影する投影手段を備え、
前記スクリーン形成装置は、請求項１〜９いずれか記載のスクリーン形成装置であることを特徴とする投影システム。
＜請求項１１＞
所定の粒径のミストを発生させる発生工程と、
前記発生工程により発生されたミストを画像の投影空間に噴出させてスクリーンを形成するスクリーン形成工程と、
前記スクリーンを消去する際に、前記ミストを前記投影空間外に移送する気流を形成する気流形成工程と、
を含むことを特徴とするスクリーン制御方法。
【符号の説明】
【００７９】
１    投影システム
２    プロジェクタ
３    スクリーン形成装置
１１    制御部
１２    入出力インターフェイス
１３    画像変換部
１４    表示エンコーダ
１５    表示駆動部
１６    入出力コネクタ部
１７    システムバス
１８    ビデオＲＡＭ
１９    表示素子
２０    光源装置
２１    可動レンズ群
２２    レンズモータ
２３    画像圧縮／伸張部
２４    メモリカード
２５    キー／インジケータ部
２６    光源制御回路
２７    画像データ等出力部
３１    画像データ等入力部
３２    制御部
３３    モータドライバ回路
３４    メインモータ
４０    メインモータ
４１〜４５    個別モータ
５０    人感センサ
６０    温度センサ
７０    通信部
１１１    ＲＯＭ
１１２    ＲＡＭ
３０１    発生部
３０２    ダクト
３０３    噴出部
３０５    開口部
３０７    タンク
３０８    水
３０９    超音波振動子
３１０    メインファン
３１１    ミスト
３１２    チャンバー
３１３    上部開口
３１５    スクリーン
３２０    ダクトシャッター
５２１〜５２５    下部開口
５３１〜５３５    個別ファン
５４１〜５４５    下部開口
５５１〜５５５    個別ファン用シャッター
５５０            外部ファン
６００    投影画像
【図１】
2015179131.tif 000003
【図２】
2015179131.tif 000004
【図３】
2015179131.tif 000005
【図４】
2015179131.tif 000006
【図５】
2015179131.tif 000007
【図６】
2015179131.tif 000008
【図７】
2015179131.tif 000009
【図８】
2015179131.tif 000010